(57)【要約】【課題】取引先の品目別に検査ランクを設定して、各品目の不良品発生率を低減させることが可能な検査ランク更新装置、検査ランク更新方法、及び検査ランク更新プログラムを提供すること。【解決手段】本実施の形態に係る検査ランク更新装置は、各取引先の品目別に検査ランク及び当該検査ランクに対応する検査指示内容を登録したマスタと、検査対象の取引先の品目について、前記マスタに登録されている対応する検査ランクの検査指示内容を表示部に表示して指示する検査指示手段と、前記検査対象の取引先の品目の検査結果に基づいて、前記検査対象の取引先の品目の前記マスタの検査ランクのランク状態を遷移させるマスタ更新手段と、を備えている。【選択図】図１
2019153171.tif 000002
【特許請求の範囲】
【請求項１】
各取引先の品目別に検査ランク及び当該検査ランクに対応する検査指示内容を登録したマスタと、
検査対象の取引先の品目について、前記マスタに登録されている対応する検査ランクの検査指示内容を表示部に表示して指示する検査指示手段と、
前記検査対象の取引先の品目の検査結果に基づいて、前記検査対象の取引先の品目の前記マスタの検査ランクのランク状態を遷移させるマスタ更新手段と、
を備えたことを特徴とする検査ランク更新装置。
【請求項２】
前記検査指示内容は、全品検査、無検査、及び抜取検査を含む検査内容、並びに抜取検査のサンプル数を含むことを特徴とする請求項１に記載の検査ランク更新装置。
【請求項３】
前記検査指示内容は、合格基準を含むことを特徴とする請求項１又は２に記載の検査ランク更新装置。
【請求項４】
さらに、前記検査対象の取引先の品目の前記マスタの検査ランクのランク状態の遷移の履歴を保存するマスタ履歴保存手段を備えたことを特徴とする請求項１〜３のいずれか１つに記載の検査ランク更新装置。
【請求項５】
前記マスタは、さらに、検査ランク毎に検査ランクをアップさせるための検査合格回数である遷移回数を登録し、
前記マスタ更新手段は、前記マスタの対応する遷移回数を参照して、前記検査対象の取引先の品目の前記マスタの検査ランクのランク状態をアップさせることを特徴とする請求項１〜４のいずれか１つに記載の検査ランク更新装置。
【請求項６】
制御部及び記憶部を備えた情報処理装置で実行される検査ランク更新方法であって、
前記記憶部は、
各取引先の品目別に検査ランク及び当該検査ランクに対応する検査指示内容を登録したマスタを備え、
前記制御部で実行される、
検査対象の取引先の品目について、前記マスタに登録されている対応する検査ランクの検査指示内容を表示部に表示して指示する検査内容指示ステップと、
前記検査対象の取引先の品目の検査結果に基づいて、前記検査対象の取引先の品目の前記マスタの検査ランクのランク状態を遷移させるマスタ更新ステップと、
を含むことを特徴とする検査ランク更新方法。
【請求項７】
制御部及び記憶部を備えた情報処理装置に実行させるための検査ランク更新プログラムであって、
前記記憶部は、
各取引先の品目別に検査ランク及び当該検査ランクに対応する検査指示内容を登録したマスタを備え、
を備え、
検査対象の取引先の品目について、前記マスタに登録されている対応する検査ランクの検査指示内容を表示部に表示して指示する検査内容指示ステップと、
前記検査対象の取引先の品目の検査結果に基づいて、前記検査対象の取引先の品目の前記マスタの検査ランクのランク状態を遷移させるマスタ更新ステップと、
を前記制御部に実行させるための検査ランク更新プログラム。
【発明の詳細な説明】
【技術分野】
【０００１】
本発明は、検査ランク更新装置、検査ランク更新方法、及び検査ランク更新プログラムに関する。
【背景技術】
【０００２】
従来、製品の検査ランクを設定する装置として、例えば特許文献１がある。かかる特許文献１では、段落［００１１］に、「・・・検査方法特徴データ作成部は各検査方法における不良現象に対する検査ランクを検査方法特徴データとして入力する検査方法特徴データ入出力部を有し、検査内容設定部は発生する不良現象に対して、検査ランクの高い検査方法を優先的に設定する対象製品検査内容設定部を有する製品検査内容変更システムを主要な特徴とする。・・・」と記載され、また、段落［００３１］に、「・・・発生する不良現象に対して、どの検査方法で検査するかを設定するときに、検査ランクの高い検査方法を優先的に設定することができるので、検査ランクを、検査時間、検査コスト、検査能力等から、判断して決定しておけば、最適な検査時間、検査コスト、検査能力で検査内容を設定することができる。・・・」と記載されている。
【先行技術文献】
【特許文献】
【０００３】
【特許文献１】特開２００４−２８７６０９号公報
【発明の概要】
【発明が解決しようとする課題】
【０００４】
しかしながら、上記特許文献１では、品目の検査を行う場合に、取引先の品目別に検査ランクを設定することに関して何等記載されていない。
【０００５】
本発明は、上記に鑑みてなされたものであって、取引先の品目別に検査ランクを設定して、各品目の不良品発生率を低減させることが可能な検査ランク更新装置、検査ランク更新方法、及び検査ランク更新プログラムを提供することを目的とする。
【課題を解決するための手段】
【０００６】
上述した課題を解決し、目的を達成するために、本発明は、各取引先の品目別に検査ランク及び当該検査ランクに対応する検査指示内容を登録したマスタと、検査対象の取引先の品目について、前記マスタに登録されている対応する検査ランクの検査指示内容を表示部に表示して指示する検査指示手段と、前記検査対象の取引先の品目の検査結果に基づいて、前記検査対象の取引先の品目の前記マスタの検査ランクのランク状態を遷移させるマスタ更新手段と、を備えたことを特徴とする。
【０００７】
また、本実施の形態によれば、前記検査指示内容は、全品検査、無検査、及び抜取検査を含む検査内容、並びに抜取検査のサンプル数を含むことが望ましい。
【０００８】
また、本実施の形態によれば、前記検査指示内容は、合格基準を含むことが望ましい。
【０００９】
また、本実施の形態によれば、さらに、前記検査対象の取引先の品目の前記マスタの検査ランクのランク状態の遷移の履歴を保存するマスタ履歴保存手段を備えることが望ましい。
【００１０】
また、本実施の形態によれば、前記マスタは、さらに、検査ランク毎に検査ランクをアップさせるための検査合格回数である遷移回数を登録し、前記マスタ更新手段は、前記マスタの対応する遷移回数を参照して、前記検査対象の取引先の品目の前記マスタの検査ランクのランク状態をアップさせることが望ましい。
【００１１】
また、上述した課題を解決し、目的を達成するために、本発明は、制御部及び記憶部を備えた情報処理装置で実行される検査ランク更新方法であって、前記記憶部は、各取引先の品目別に検査ランク及び当該検査ランクに対応する検査指示内容を登録したマスタを備え、前記制御部で実行される、検査対象の取引先の品目について、前記マスタに登録されている対応する検査ランクの検査指示内容を表示部に表示して指示する検査内容指示ステップと、前記検査対象の取引先の品目の検査結果に基づいて、前記検査対象の取引先の品目の前記マスタの検査ランクのランク状態を遷移させるマスタ更新ステップと、を含むことを特徴とする。
【００１２】
また、上述した課題を解決し、目的を達成するために、本発明は、制御部及び記憶部を備えた情報処理装置に実行させるための有検査ランク更新プログラムであって、前記記憶部は、各取引先の品目別に検査ランク及び当該検査ランクに対応する検査指示内容を登録したマスタを備え、検査対象の取引先の品目について、前記マスタに登録されている対応する検査ランクの検査指示内容を表示部に表示して指示する検査内容指示ステップと、前記検査対象の取引先の品目の検査結果に基づいて、前記検査対象の取引先の品目の前記マスタの検査ランクのランク状態を遷移させるマスタ更新ステップと、を前記制御部に実行させるための検査ランク更新プログラムであることを特徴とする。
【発明の効果】
【００１３】
本発明によれば、取引先の品目別に検査ランクを設定して、各品目の不良品発生率を低減させることが可能になるという効果を奏する。
【図面の簡単な説明】
【００１４】
【図１】図１は、本実施の形態に係る検査ランク更新装置の構成の一例を示すブロック図である。
【図２】図２は、受入検査指示データ、検査分類マスタ、検査分類遷移マスタ、検査ランクマスタ、検査内容マスタ、検査表ＩＤマスタ、及び検査取引先品目状況マスタの構成例を示す図である。
【図３】図３は、本実施の形態に係る検査ランク更新装置の全体の処理手順の一例を説明するための図である。
【図４】図４は、受入検査指示データの一例を示す図である。
【図５】図５は、検査分類マスタのデータ例を示す図である。
【図６】図６は、検査分類遷移マスタのデータ例を示す図である。
【図７】図７は、検査ランクマスタのデータ例を示す図である。
【図８】図８は、検査内容マスタのデータ例を示す図である。
【図９】図９は、検査表ＩＤマスタのデータ例を示す図である。
【図１０】図１０は、検査取引先品目状況マスタのデータ例を示す図である。
【図１１】図１１は、検査取引先品目状況マスタの検査レベルのレベル状態の遷移の一例を説明するための図である。
【図１２】図１２は、検査取引先品目状況マスタの検査レベルのレベル状態の遷移の一例を説明するための図である。
【図１３】図１３は、検査取引先品目状況マスタの検査レベルのレベル状態の遷移の一例を説明するための図である。
【図１４】図１４は、検査取引先品目状況マスタの検査レベルのレベル状態の遷移の一例を説明するための図である。
【図１５】図１５は、検査取引先品目マスタ履歴の一例を示す図である。
【図１６】図１６は、検査画面の一例を示す図である。
【発明を実施するための形態】
【００１５】
以下に、本発明に係る検査ランク更新装置、検査ランク更新方法、及び検査ランク更新プログラムの実施の形態を、図面に基づいて詳細に説明する。なお、本実施形態によりこの発明が限定されるものではない。
【００１６】
［１．概要］
従来、部材や製品等を仕入れて受入検査を行う場合、取引先によっては品質が悪く不良品が増加していた。これは、受入検査担当者がＥＸＣＥＬ等のアプリで管理を行っていたため、作業負担や検査内容の指示ミスも不良品の増加につながっていた。
【００１７】
本実施の形態では、各取引先品目別に検査ランクを設定し、検査ランクによる検査内容を指示し、また、検査ランクのＵＰ／ＤＯＷＮの遷移と履歴を自動で行うことをシステム化することにより、不良品発生率を低減させる。さらに、本実施の形態によれば、システム化することにより、検査の資料管理の作業負担を軽減する。
【００１８】
以下、具体的な構成および動作について説明する。
【００１９】
［２．構成］
本実施形態に係る検査ランク更新装置１００の構成について、図１を参照して説明する。図１は、検査ランク更新装置１００の構成の一例を示すブロック図である。
【００２０】
検査ランク更新装置１００は、市販のデスクトップ型パーソナルコンピュータである。なお、検査ランク更新装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２１】
検査ランク更新装置１００は、図１に示すように、制御部１０２と通信インターフェース部１０４と記憶部１０６と入出力インターフェース部１０８と、を備えている。検査ランク更新装置１００が備えている各部は、任意の通信路を介して通信可能に接続されている。
【００２２】
通信インターフェース部１０４は、ルータ等の通信装置および専用線等の有線または無線の通信回線を介して、検査ランク更新装置１００をネットワーク３００に通信可能に接続する。通信インターフェース部１０４は、他の装置と通信回線を介してデータを通信する機能を有する。ここで、ネットワーク３００は、検査ランク更新装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。  
【００２３】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、「出力」とは、出力装置１１４のモニタに表示することや出力装置１１４のプリンタで印刷することを含む。また、モニタ１１４に表示される情報に対して入力装置１１２等でユーザが操作等をすることを、「ＵＩを介したユーザ操作」と記載する場合がある。
【００２４】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。  
【００２５】
記憶部１０６は、受入検査指示データファイル１０６ａと、検査分類マスタ１０６ｂと、検査分類遷移マスタ１０６ｃと、検査ランクマスタ１０６ｄと、検査内容マスタ１０６ｅと、検査表ＩＤマスタ１０６ｆと、検査取引先品目状況マスタ１０６ｇとを備えている。図２は、受入検査指示データ、検査分類マスタ１０６ｂ、検査分類遷移マスタ１０６ｃ、検査ランクマスタ１０６ｄ、検査内容マスタ１０６ｅ、検査表ＩＤマスタ１０６ｆ、及び検査取引先品目状況マスタ１０６ｇの構成例を示す図である。検査分類マスタ１０６ｂ、検査分類遷移マスタ１０６ｃ、検査ランクマスタ１０６ｄ、検査内容マスタ１０６ｅ、検査表ＩＤマスタ１０６ｆ、及び検査取引先品目状況マスタ１０６ｇを、「マスタ」と総称する。
【００２６】
受入検査指示データファイル１０６ａは、受入検査指示データを格納するためのファイルである。受入検査指示データは、図２に示すように、受入検査指示ＮＯ、取引先ＣＤ（コード）、品目ＣＤ、工順、及び受入数のデータを含んでいてもよい（図４参照）。
【００２７】
検査分類マスタ１０６ｂは、図２に示すように、検査分類ＣＤとその検査の名称（検査Ａ，検査Ｂ、検査Ｃ等）を関連づけて登録するテーブル等で構成することができる（図５参照）。
【００２８】
検査分類遷移マスタ１０６ｃは、検査表ＩＤを規定するためのマスタである。検査分類遷移マスタ１０６ｃは、図２に示すように、検査分類ＣＤと、検査ランクと、検査表ＩＤを関連づけて登録するテーブル等で構成することができる（図６参照）。
【００２９】
検査ランクマスタ１０６ｄは、各検査ランクをＵＰさせるための遷移回数（検査合格回数）を設定するためのものである。検査ランクマスタ１０６ｄは、図２に示すように、検査ランクと、検査内容ＣＤと、検査ランクをＵＰ「＋１」するための検査合格回数を規定する遷移回数とを関連づけて登録するテーブル等で構成することができる（図７参照）。
【００３０】
検査内容マスタ１０６ｅは、各検査ランクの検査内容を設定するためのものである。検査内容マスタ１０６ｅは、図２に示すように、検査内容ＣＤと、検査内容（全品検査、無検査、全品検査）を関連づけて登録するテーブル等で構成することができる（図８参照）。  
【００３１】
検査表ＩＤマスタ１０６ｆは、検査表ＩＤ（検査分類及び検査ランクに対応）に応じた抜取検査のサンプル数や検査の合格基準（合格判定数、不合格判定数）を規定するためのマスタである。検査表ＩＤマスタ１０６ｆは、図２に示すように、検査表ＩＤと、抜取検査を行う場合のサンプル数と、合格判定数と、不合格判定数を関連づけて登録するテーブル等で構成することができる（図９参照）。
【００３２】
例えば、合格判定数「０」、不合格判定数「０」の場合は、不合格判定数が「０」の場合、すなわち、全て合格した場合のみ検査合格と判定される。合格判定数「４６」、不合格判定数「５」の場合は、サンプル数「５０」のうち、合格判定数「４６」以上で検査合格、不合格判定数「５」以上で検査不合格と判定される。また、合格判定数「３１」、不合格判定数「１０」の場合は、サンプル数「４０」のうち、合格判定数「３１」以上で検査合格、不合格判定数「１０」以上で検査不合格と判定される。
【００３３】
検査取引先品目状況マスタ１０６ｇは、検査対象の品目の検査ランクの現在のランク状態と検査ランクを自動遷移させるか否かを規定するためのマスタである。検査取引先品目状況マスタ１０６ｇは、図２に示すように、取引先ＣＤと、品目ＣＤと、工順と、検査分類ＣＤと、検査合格回数と、ランク状態と、ランクＤＯＷＮ回数と、自動遷移区分（「０：自動遷移する」、「１：自動遷移しない」）とを関連づけて登録するテーブル等で構成することができる（図１０参照）。
【００３４】
図２において、取引先ＣＤ、品目、及び工順により、受入検査指示データと検査取引先品目状況マスタ１０６ｇはリンクしている。また、検査分類ＣＤにより、検査取引先品目状況マスタ１０６ｇと検査分類マスタ１０６ｂはリンクしている。
【００３５】
検査分類ＣＤと検査ランク（ランク状態を含む）により、検査取引先品目状況マスタ１０６ｇと検査分類遷移マスタ１０６ｃはリンクしている。検査表ＩＤにより、検査分類遷移マスタ１０６ｃと検査表ＩＤマスタ１０６ｆとはリンクしている。検査内容ＣＤにより、検査ランクマスタ１０６ｄと検査内容マスタ１０６ｅとはリンクしている。
【００３６】
図１に戻り、制御部１０２は、検査ランク更新装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、受入検査指示データ入力部１０２ａと、検査指示部１０２ｂと、マスタ更新部１０２ｃと、マスタ履歴保存部１０２ｄと、マスタメンテ部１０２ｅと、を備えている。制御部１０２は、入力画面、検査画面やマスタメンテ画面等の各種画面をモニタ１１４に表示して、入力装置１１２等を介して担当者等（オペレータ）の操作を受け付ける。
【００３７】
受入検査指示データ入力部１０２ａは、モニタ１１４に表示される入力画面上での担当者等の操作等に応じて、受入検査指示データを入力して、受入検査指示データファイル１０６ａに格納する。
【００３８】
検査指示部１０２ｂは、検査対象の取引先の品目について、マスタに登録されている対応する検査ランクの検査指示内容をモニタ１１４の検査画面（例えば、図１６参照）に表示して、担当者等に指示する。検査指示内容は、全品検査、無検査、及び抜取検査を含む検査内容、並びに抜取検査のサンプル数を含むことにしてもよい。また、検査指示内容は、合格基準を含むことにしてもよい。
【００３９】
マスタ更新部１０２ｃは、検査対象の取引先の品目の担当者等による検査結果に基づいて、検査対象の取引先の品目のマスタの検査ランクのランク状態を遷移させる。また、マスタ更新部１０２ｃは、マスタの検査ランクに対応する、検査合格回数である遷移回数を参照して、検査対象の取引先の品目の検査ランクのランク状態をアップさせてもよい。
【００４０】
マスタ履歴保存部１０２ｄは、検査対象の取引先の品目のマスタの検査ランクのランク状態の遷移の履歴を、検査取引先品目マスタ履歴（図１５参照）として記憶部１０６に保存する。
【００４１】
マスタメンテ部１０２ｅは、モニタ１１４に表示されるマスタメンテ画面上での担当者の操作等に応じて、マスタに対してデータの入力・追加・変更・更新等の編集を行ってデータの設定（登録）を行う。
【００４２】
［３．処理の具体例］
図１〜図１６を参照して、本実施の形態に係る検査ランク更新装置１００の処理の具体例を説明する。図３は、本実施の形態に係る検査ランク更新装置１００の全体の処理手順の一例を説明するための図である。図３を参照して、本実施の形態に係る検査ランク更新装置１００の全体の処理手順の一例を説明する。
【００４３】
図３において、受入検査指示データ入力部１０２ａにより対象の受入検査指示データが入力されて、受入検査指示データファイル１０６ａに格納されているものとして説明する。まず、検査指示部１０２ｂは、モニタ１１４に表示される検査画面で担当者等により受入検査番号が入力されると（ステップＳ１）、検査取引先品目状況マスタ１０６ｇに、入力された受入検査番号に対応する受入検査指示データの検査取引先ＣＤ、品目ＣＤ、工順のデータがあるか否かを判断する（ステップＳ２）。
【００４４】
データがない場合には（ステップＳ２の「Ｎｏ」）、ステップＳ１に戻る一方、データがある場合には（ステップＳ２の「Ｙｅｓ」）、検査指示部１０２ｂは、検査分類遷移マスタ１０６ｃに、検査取引先品目状況マスタ１０６ｇの当該検査取引先ＣＤ、品目ＣＤ、工順のデータに対応する検査分類ＣＤ及び検査ランクのランク状態に対応する検査表ＩＤのデータがあるか否かを判断する（ステップＳ３）。
【００４５】
データがない場合には（ステップＳ３の「Ｎｏ」）、ステップＳ１に戻る一方、データがある場合には（ステップＳ３の「Ｙｅｓ」）、検査指示部１０２ｂは、検査取引先品目状況マスタ１０６ｇの検査ランクのランク状態等に基づいて、検査の名称（検査分類）「検査Ａ、Ｂ、ｏｒＣ等」、検査内容「全品検査、無検査、or抜取検査等」、サンプル数（抜取数）等の検査指示内容をモニタ１１４の検査画面に表示する（ステップＳ４）。
【００４６】
より具体的には、例えば、検査取引先品目状況マスタ１０６ｇの検査分類ＣＤをキーとして、検査分類マスタ１０６ｂの対応する検査の名称（検査分類）を取得して、モニタ１１４の検査画面に表示する。また、検査取引先品目状況マスタ１０６ｇの検査ランクのランク状態をキーとして、検査ランクマスタ１０６ｄの検査内容ＣＤを取得し、取得した検査内容ＣＤをキーとして、検査内容マスタ１０６ｅの検査内容「全品検査」を取得して、モニタ１１４の検査画面に表示する。また、検査取引先品目状況マスタ１０６ｇの検査分類ＣＤ及び検査ランクのランク状態をキーとして、検査分類遷移マスタ１０６ｃから検査表ＩＤを取得し、取得した検査表ＩＤをキーして、検査表ＩＤマスタ１０６ｆからサンプル数を取得して、モニタ１１４の検査画面に表示する。
【００４７】
これに応じて、担当者は品目の検査を行い、検査画面で検査結果（例えば、不良数（不合格数））を入力し、マスタ更新部１０２ｃは、検査表ＩＤマスタ１０６ｆの対応する合格基準（合格判定数、不合格判定数）を参照して合否判定を行う。次に、マスタ更新部１０２ｃは、検査取引先品目状況マスタ１０６ｇの自動遷移区分をチェックして（ステップＳ５）、自動遷移区分＝「０：自動遷移する」の場合は、検査結果（合否判定）に応じて、検査取引先品目状況マスタ１０６ｇの検査ランクのランク状態のＵＰ・ＤＯＷＮ（遷移）又は検査合格回数の更新を行う（ステップＳ６）。
【００４８】
自動遷移区分＝「１：自動遷移しない」の場合は、検査取引先品目状況マスタ１０６ｇの検査ランクのランク状態のＵＰ・ＤＯＷＮ（遷移）を行わない（ステップＳ７）。
【００４９】
図４〜図１５を参照して、本実施の形態に係る検査ランク更新装置１００の処理の具体的なデータ例を説明する。図４は、受入検査指示データの一例を示す図である。図５は、検査分類マスタ１０６ｂのデータ例を示す図である。図６は、検査分類遷移マスタ１０６ｃのデータ例を示す図である。図７は、検査ランクマスタ１０６ｄのデータ例を示す図である。図８は、検査内容マスタ１０６ｅのデータ例を示す図である。図９は、検査表ＩＤマスタ１０６ｆのデータ例を示す図である。図１０は、検査取引先品目状況マスタ１０６ｇのデータ例を示す図である。
【００５０】
図４に示す受入検査指示データの例では、受入検査指示ＮＯ「１０００００１」、取引先ＣＤ「１００１」、品目ＣＤ「Ａ１００」、工順「９９９」、受入数「１００」、・・・・となっている。
【００５１】
図５に示す検査分類マスタ１０６ｂの例では、検査分類ＣＤ「０００１」、名称「検査Ａ」と、検査分類ＣＤ「０００２」、名称「検査Ｂ」と、検査分類ＣＤ「０００３」、名称「検査Ｃ」と、・・・が登録されている。
【００５２】
図６に示す検査分類遷移マスタ１０６ｃの例では、検査分類ＣＤ「０００１」、検査ランク「０１」、検査表ＩＤ「１１１」と、検査分類ＣＤ「０００１」、検査ランク「０２」、検査表ＩＤ「１１２」と、検査分類ＣＤ「０００１」、検査ランク「０３」、検査表ＩＤ「１１３」と、・・・が登録されている。
【００５３】
図７に示す検査ランクマスタ１０６ｄの例では、検査ランク「０１」、検査内容ＣＤ「９」、遷移回数「１」と、検査ランク「０２」、検査内容ＣＤ「１」、遷移回数「１５」と、検査ランク「０３」、検査内容ＣＤ「１」、遷移回数「１０」と、・・・が登録されている。
【００５４】
図８に示す検査内容マスタ１０６ｅの例では、検査内容ＣＤ「９」、検査内容「全品検査」と、検査内容ＣＤ「２」、検査内容「無検査」と、検査内容ＣＤ「１」、検査内容「抜取検査」とが登録されている。
【００５５】
図７及び図８に示すように、検査ランクが低いほど厳しい検査内容となっており、検査ランクが上がると検査内容が緩やかになるように設定されている。
【００５６】
図９に示す検査表ＩＤマスタ１０６ｆの例では、検査表ＩＤ「１１１」、サンプル数「０」、合格判定数「０」、不合格判定数「０」と、検査表ＩＤ「１１２」、サンプル数「５０」、合格判定数「４６」、不合格判定数「５」と、検査表ＩＤ「１１３」、サンプル数「４０」、合格判定数「３１」、不合格判定数「１０」と、・・・が登録されている。
【００５７】
図１０に示す検査取引先品目状況マスタ１０６ｇの例では、取引先ＣＤ「１００１」、品目ＣＤ「Ａ１００」、工順「９９９」、検査分類ＣＤ「０００１」、検査合格回数「０」、ランク状態「０１」、ランクＤＯＷＮ回数「０」と、自動遷移区分「０：自動遷移する」と、取引先ＣＤ「１００１」、品目ＣＤ「Ｂ１００」、工順「９９９」、検査分類ＣＤ「０００１」、検査合格回数「１０」、ランク状態「０２」、ランクＤＯＷＮ回数「０」、自動遷移区分「１：自動遷移しない」と、・・・が登録されている。
【００５８】
上記図４〜図１０のデータ例を使用した場合の検査取引先品目状況マスタ１０６ｇの検査レベルのレベル状態の遷移（更新）の一例を図１１〜図１５を参照して説明する。図１１〜図１５は、検査取引先品目状況マスタ１０６ｇの検査レベルのレベル状態の遷移（更新）の一例を説明するための図である。
【００５９】
（１）まず、取引先ＣＤ「１００１」の取引先から品目ＣＤ「Ａ１００」を初めて仕入れた場合について説明する。図１１は、検査取引先品目状況マスタ１０６ｇの初期設定を説明するための図である。図１２（Ａ）は、検査取引先品目状況マスタ１０６ｇの検査前のデータ例を示しており、図１２（Ｂ）は、検査取引先品目状況マスタ１０６ｇの検査後のデータ例を示している。
【００６０】
（１−１）図１１に示すように、初期設定で、検査取引先品目状況マスタ１０６ｇに対して、図４に示す受入指示データの取引先ＣＤ「１００１」、品目ＣＤ「Ａ１００」、工順「９９９」をキーとして、検査分類ＣＤ「１０００１」、自動遷移区分を「０：遷移」を登録する。なお、初期値で検査合格回数「０」、ランク状態「０１」、ランクＤＯＷＮ回数「０」が登録されている。
【００６１】
（１−２）受入検査入力（受入数＝１００）では、検査取引先品目状況マスタ１０６ｇの検査分類ＣＤ「０００１」及び検査ランクのランク状態「０１」をキーとして、検査分類遷移マスタ１０６ｃから検査表ＩＤ「１１１」を取得し、検査表ＩＤ「１１１」をキーして、検査表ＩＤマスタ１０６ｆからサンプル数「０」を取得する。
【００６２】
この場合は、サンプル数「０」であるが、検査ランクマスタ１０６ｄの検査ランク「０１」に対応する検査内容ＣＤが「９：全品検査」となっているので、受入数「１００」が全て検査対象となる。担当者が、検査画面で、不良数を入力すると、マスタ更新部１０２ｃは、検査表ＩＤマスタ１０６ｆの合格基準を参照して、合格判定を行う。
【００６３】
（１−３）検査表ＩＤマスタ１０６ｆの検査表ＩＤ「１１１」に対応する不合格判定数が「０」であるので、全個数合格でないと、検査取引先品目状況マスタ１０６ｇの検査合格回数のＵＰ「＋１」や検査ランクのランク状態のＵＰ（「＋１」）を行わない。全て合格の場合は、検査ランクマスタ１０６ｄの検査ランク「０１」に対応する遷移回数が「１」であるため、図１２（Ａ）に示す検査ランクのランク状態「０１」から、図１２（Ｂ）に示すように、検査取引先品目状況マスタ１０６ｇのランク状態をＵＰ（「＋１」）して、「０２」とし、検査合格回数を「０」のままとする（ランク状態をＵＰした場合は、検査合格回数をＵＰさせない）。
【００６４】
（２）次回、取引先ＣＤ「１００１」の取引先より品目ＣＤ「Ａ１００」を仕入れた場合（受入数＝１００）について説明する。図１３（Ａ）は、検査取引先品目状況マスタ１０６ｇの検査前のデータ例を示しており、図１３（Ｂ）は、検査取引先品目状況マスタ１０６ｇの検査後のデータ例を示している。
【００６５】
今回は、図１３（Ａ）に示すように、検査取引先品目状況マスタ１０６ｇの検査ランクのランク状態が「０２」となっており、検査ランクマスタ１０６ｄの対応する検査内容ＣＤ「１」で、検査内容マスタ１０６ｅの検査内容「抜取検査」を行う。また、検査分類遷移マスタ１０６ｃの検査ランク「０２」に対応する検査表ＩＤは「１１２」であり、検査表ＩＤマスタ１０６ｆの検査表ＩＤ「１１２」に対応するサンプル数は「５０」である。そのため、受入数「１００」のうち、サンプル数「５０」の抜取検査を行う。
【００６６】
例えば、抜取検査で「４６」個合格した場合、検査表ＩＤマスタ１０６ｆの検査表ＩＤ「１１２」に対応する合格判定数「４６」、不合格判定数「５」であるので、検査合格である。
【００６７】
また、検査ランクマスタ１０６ｄの検査ランク「０２」に対応する遷移回数が「１５」であるので、図１３（Ｂ）に示すように、検査取引先品目状況マスタ１０６ｇの検査のランク状態のＵＰを行わず、検査合格回数だけ「＋１」する。
【００６８】
（３）取引先ＣＤ「１００１」の取引先より品目ＣＤ「Ａ１００」が納入されたが、不良品が発生した場合の検査データの遷移を説明する。図１４（Ａ）は、検査取引先品目状況マスタ１０６ｇの検査前を示しており、図１４（Ｂ）は、検査取引先品目状況マスタ１０６ｇの検査後を示している。
【００６９】
ここでは、図１４（Ａ）に示すように、検査取引先品目状況マスタ１０６ｇにおいて、検査ランクのランク状態が「０３」で、自動遷移区分が「０：遷移」となっており、受入数「１００」の場合を一例として説明する。
【００７０】
検査取引先品目状況マスタ１０６ｇの検査ランクのランク状態が「０３」となっており、検査ランクマスタ１０６ｄの対応する検査内容ＣＤ「１」で、検査内容マスタ１０６ｅの検査内容「抜取検査」を行う。また、検査分類遷移マスタ１０６ｃの検査ランク「０３」及び検査分類ＣＤ「１０００１」に対応する検査表ＩＤは「１１３」であり、検査表ＩＤマスタ１０６ｆの検査表ＩＤ「１１３」に対応するサンプル数は「４０」、合格判定数「３１」、不合格判定数「１０」である。
【００７１】
例えば、受入検査のサンプル数「４０」のうち、不合格数（不良数）が「１０」の場合、検査分類遷移マスタ１０６ｃの不合格判定数「１０」以上が不合格であるので、検査不合格となる。この場合は、図１４（Ｂ）に示すように、検査取引先品目状況マスタ１０６ｇの検査ランクの状態「０３」を前の検査ランク「０２」にＤＯＷＮ（「−１」）し、検査合格回数を「０」とする（なお、検査不合格の場合は、１回の不合格で検査ランクのランク状態を「１」ＤＯＷＮさせる）。
【００７２】
図１５は、検査取引先品目マスタ履歴の一例を示す図である。マスタ履歴保存部１０２ｄは、上述したように、検査取引先品目マスタ履歴を記憶部１０６に保存する。図１５に示す検査取引先品目マスタ履歴の例では、取引先ＣＤ、品目ＣＤ、工順、検査分類ＣＤ、検査合格回数、検査ランクのランク状態、ランクＤＯＷＮ回数、受入数、合格数、不合格数、ランクＤＯＷＮ回数、及び更新日等のデータを格納する。
【００７３】
図１６は、検査画面の一例を示す図である。図１６に示す検査画面４００の例では、まず、担当者が、「検査指示番号」と「検査実施日（検査取引先品目マスタ履歴の更新日に対応）」を入力する。検査指示部１０２ｂは、受入検査指示データファイル１０６ｂに格納されている、検査指示番号に対応する受入検査指示データの「品目ＣＤ」及び「受入数」等を表示する。また、検査指示部１０２ｂは、検査指示番号に対応する受入検査指示データの取引先ＣＤ、品目ＣＤ、工順をキーとして、マスタにアクセスして、「検査表ＩＤ」、「合格判定数」、「自動遷移区分」、現在の「検査ランク（ランク状態）」、「検査内容」、「合格回数」、「検査分類」等を取得して、検索画面に表示する。また、検査指示部１０２ｂは、エリア４０１に、記憶部１０６に保存されている検査取引先品目マスタ履歴等を参照して、過去の検査実績を検査実施日の新しいものから表示する。
【００７４】
担当者は、検査画面に表示される検査指示の内容を確認して検査を実施して、「不良数」を入力する。マスタ更新部１０２ｃは、不良数が入力されると、マスタ（検査表ＩＤマスタ１０６ｆ）の対応する合格基準を参照して、合否を判定して、「合否判定」に合格又は不合格を表示する。マスタ更新部１０２ｃは、合否を判定すると、上述したように、検査取引先品目状況マスタ１０６ｇのデータを更新し、これに応じて、マスタ履歴保存部１０２ｄは、検査取引先品目マスタ履歴を更新する。
【００７５】
以上説明したように、本実施の形態によれば、各取引先の品目別に検査ランク及び当該検査ランクに対応する検査指示内容を登録したマスタと、検査対象の取引先の品目について、マスタに登録されている対応する検査ランクの検査指示内容をモニタ１１４に表示して指示する検査指示部１０２ｂと、検査対象の取引先の品目の検査結果に基づいて、検査対象の取引先の品目のマスタの検査ランクのランク状態を遷移させるマスタ更新部１０２ｃと、を備えているので、各取引先品目別に検査ランクを設定し、検査ランクに応じた検査内容を指示し、また、検査ランクのランク状態を自動で遷移させることにより、担当者の作業負担や検査内容の指示ミス等を軽減でき、不良品発生率を低減させることが可能となる。
【００７６】
また、本実施の形態によれば、前記検査指示内容は、全品検査、無検査、及び抜取検査を含む検査内容、並びに抜取検査のサンプル数を含むこととしたので、担当者に、全品検査、無検査、及び抜取検査を含む検査内容、並びに抜取検査のサンプル数を指示することが可能となる。
【００７７】
また、本実施の形態によれば、検査指示内容は、検査の合格基準を含むこととしたので、担当者に、検査ランクに応じた合格基準を知らせることが可能となる。
【００７８】
また、本実施の形態によれば、さらに、検査対象の取引先の品目のマスタの検査ランクのランク状態の遷移の履歴を保存するマスタ履歴保存部１０２ｄを備えているので、担当者は、検査ランクの遷移の履歴を確認することが可能となる。
【００７９】
また、本実施の形態によれば、マスタは、さらに、検査ランク毎に検査ランクをアップさせるための検査合格回数である遷移回数を登録し、マスタ更新部１０２ｃは、マスタの対応する遷移回数を参照して、検査対象の取引先の品目のマスタの検査ランクのランク状態をアップさせることとしたので、検査ランク毎に、ランクをアップさせるための検査合格回数を設定することが可能となる。
【００８０】
なお、「マスタ」の構成は、図２に示す構成例に限定されるものではなく、各マスタを分割・統合して構成してもよい。
【００８１】
［４．他の実施形態］
本発明は、上述した実施形態以外にも、特許請求の範囲に記載した技術的思想の範囲内において種々の異なる実施形態にて実施されてよいものである。  
【００８２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００８３】
また、本明細書中や図面中で示した処理手順、制御手順、具体的名称、各処理の登録データや検索条件等のパラメータを含む情報、画面例、データベース構成については、特記する場合を除いて任意に変更することができる。
【００８４】
また、検査ランク更新装置１００に関して、図示の各構成要素は機能概念的なものであり、必ずしも物理的に図示の如く構成されていることを要しない。  
【００８５】
例えば、検査ランク更新装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて検査ランク更新装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００８６】
また、このコンピュータプログラムは、検査ランク更新装置１００に対して任意のネットワークを介して接続されたアプリケーションプログラムサーバに記憶されていてもよく、必要に応じてその全部または一部をダウンロードすることも可能である。  
【００８７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００８８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００８９】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００９０】
また、検査ランク更新装置１００は、既知のパーソナルコンピュータまたはワークステーション等の情報処理装置として構成してもよく、また、任意の周辺装置が接続された当該情報処理装置として構成してもよい。また、検査ランク更新装置１００は、当該装置に本実施形態で説明した処理を実現させるソフトウェア（プログラムまたはデータ等を含む）を実装することにより実現してもよい。  
【００９１】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００９２】
１００  検査ランク更新装置
１０２  制御部
１０２ａ  受入検査指示データ入力部
１０２ｂ  検査指示部
１０２ｃ  マスタ更新部
１０２ｄ  マスタ履歴保存部
１０２ｅ  マスタメンテ部
１０４  通信インターフェース部
１０６  記憶部
１０６ａ  受入検査指示データファイル
１０６ｂ  検査分類マスタ
１０６ｃ  検査分類遷移マスタ
１０６ｄ  検査ランクマスタ
１０６ｅ  検査内容マスタ
１０６ｆ  検査表ＩＤマスタ
１０６ｇ  検査取引先品目状況マスタ
１０８  入出力インターフェース部
１１２  入力装置
１１４  出力装置
２００  サーバ
３００  ネットワーク
【図１】
2019153171.tif 000003
【図２】
2019153171.tif 000004
【図３】
2019153171.tif 000005
【図４】
2019153171.tif 000006
【図５】
2019153171.tif 000007
【図６】
2019153171.tif 000008
【図７】
2019153171.tif 000009
【図８】
2019153171.tif 000010
【図９】
2019153171.tif 000011
【図１０】
2019153171.tif 000012
【図１１】
2019153171.tif 000013
【図１２】
2019153171.tif 000014
【図１３】
2019153171.tif 000015
【図１４】
2019153171.tif 000016
【図１５】
2019153171.tif 000017
【図１６】
2019153171.tif 000018